(57)【要約】【課題】従来の飲食用包装容器の表装は一般的な表示であるので、人物の鼻より上部を除いた唇周りから肩部位をイラストや写真で表示して成る飲食用包装容器を提供する。【解決手段】飲食用包装容器１は、アルミや鉄素材による缶にジュースやコーヒー、お茶などを納めた缶３の周囲に、タレントや女優、著名人などの人物の鼻の上から目や頭部を除いた、唇周りから肩部分までをイラストや写真で表示した唇図絵５を表示した飲食用包装容器１とする。【選択図】図１
0003134188.tif 000002
【実用新案登録請求の範囲】
【請求項１】
飲み物や食べ物などの飲食用包装容器の表面に、人物の鼻から上の目と頭部を除いた、唇周りから肩部分までのイラストや写真による唇図絵を表示したことを特徴とする人物の唇図絵を表示した飲食用包装容器。
【請求項２】
前記した包装容器が、飲み物を収納する缶である請求項１に記載する人物の唇図絵を表示した飲食用包装容器。
【請求項３】
前記した包装容器が、飲み物を収納するボトルである請求項１に記載する人物の唇図絵を表示した飲食用包装容器。
【請求項４】
前記した包装容器が、食べ物を収納する箱である請求項１に記載する人物の唇図絵を表示した飲食用包装容器。
【請求項５】
前記した包装容器が、食べ物を収納する袋である請求項１に記載する人物の唇図絵を表示した飲食用包装容器。
【請求項６】
前記した包装容器が、湯を注げば直ぐに食べられる即席食品カップである請求項１に記載する人物の唇図絵を表示した飲食用包装容器。
【考案の詳細な説明】
【技術分野】
【０００１】  本考案は、ジュースやコーヒーなどの飲料やチョコレートや菓子などの食品類を収納する包装容器の表面に、名前の知れた人物や、また、これから売り出したい人の唇周りから肩部分までのイラストや写真等の図絵を表示することで、興味を持たせて想像性を養うことにより、その飲食品に対する食感性も高め、さらに美味しさや楽しも与えられる飲食包装容器に関する。
【背景技術】
【０００２】  従来、飲料や食品を納めた容器に人物の顔絵の唇部分を容器の縁部分に位置するように逆さ顔絵を表示することにより、飲料や食品を食べたり飲んだりする時に逆さ顔絵の唇部分に触れることで、あたかも図絵の顔とキスをするような面白さや楽しさを演出できる飲食容器の技術があった。（例えば、特許文献１参照）
【特許文献１】特開２００４−３５１１７４公報
【考案の開示】
【考案が解決しようとする課題】
【０００３】
【０００４】  前記した特開２００４−３５１１７４公報による技術は、本出願人によるものであり、これは口を付けて飲むカップや湯飲み、ジュースやコーヒーが入った各種飲料缶などの縁部分に唇を、頭部側が下側になる女性の逆さ顔絵を表示することで、楽しさや面白さを演出できる飲食用容器である。【０００５】  しかし、面白さや楽しさを演出できるが、これは顔全体が見えるのである程度慣れてくるとその楽しさや面白さの効果も薄れてくる。またキス顔絵とは別にタレントや女優、著名人の顔全体を表示しても、それは単なる表装の域を出るものではなく、さらに想像性や食感性を高められる表装が求められているが、現状ではそれを満たすような表示手段はなかった。
【課題を解決するための手段】
【０００６】  本考案は前記するような欠点を解決するために、請求項１においては  飲み物や食べ物などの飲食用包装容器の表面に、人物の鼻より上部分の目や頭部を除いた、唇周部から肩部位までのイラストや写真を表示することにより、その表示方法の不思議さと、その人は誰だろうと想像させることにより、想像力や予想力を養えることにより、飲み物や食品に対する味覚や食感性も高められる飲食用包装容器とする。【０００７】  請求項２においては、前記した飲食用包装容器が、飲み物を収納する金属製の缶にすることで、ジュースやコーヒー類に対応できるものとする。【０００８】  請求項３においては、前記した飲食用包装容器が、飲み物を収納するボトルにすることで、ミネラルウォーターやコーヒーの他に、酒類のボトルにも対応できるものとする。【０００９】  請求項４においては、前記した飲食用包装容器が、食べ物を収納する箱にすることでチョコレートやお菓子などの箱類にも対応できるものとする。【００１０】  請求項５においては、前記した飲食用包装容器が、食べ物を収納する袋にすることで、粒や粉類等の食品にも対応できるものとする【００１１】  請求項６においては、前記した飲食用包装容器が、湯を注げば食べられる即席食品カップにすることで、ラーメンや味噌汁などの即席食品にも対応できるものとする。
【考案の効果】
【００１２】  本考案による飲食用包装容器は、表面にタレントや女優、著名人などの他に、これから売り出そうとする人物の鼻から上の目や頭部などを除いた、唇周りから肩部分までをイラストや写真による唇図絵を表示しているので、この人は誰だろう。不思議な表示方法だな。などと思わせることで、想像性を養うとともに、飲食物に対しても美味しそう。どんな味だろう。どんな人が作っているのだろうかと、食に対する食感性も高めて、さらに美味しさと楽しを付与するとともに、販売促進効果も得られる飲食用包装容器である。【００１３】  第１の実施形態による飲食用包装容器は、ジュースやコーヒーなどを収納する飲料缶を対象とすることができ、第２の実施形態による飲食用包装容器は、ミネラルウォーターやお茶など納めたボトル飲料にも対応できる。また、第３の実施形態による飲食用包装容器は、菓子や各種食べ物を納める箱にも使えるうえ、第４施形態による飲食用包装容器は、粒や粉類などの食品も対象にすることができる。加えて、第５の実施形態は湯を注げば数分で食べられるラーメンなどの即席食品カップ表面に唇図絵を表示することで、飲食品を納めたあらゆる包装容器が今までにないユニークな表装により、さらに食感性を高められる人物の唇図絵を表示した飲食用包装容器を広く提供できる。
【考案を実施するための最良の形態】
【００１４】  本考案による飲食用包装容器の第１の実施形態を図１に示す斜視図で説明する。第１の実施形態による飲食用包装容器１は、アルミや鉄素材によるプルトップ２付き缶３とし、その缶３にジュースやコーヒー、お茶など納めて成る前記の缶３の周囲に、飲食品名４を表示するとともに、タレントや女優、著名人などの人物の鼻の上部から目や頭部などを除いた、唇周りから肩部分までをイラストや写真で表示した唇図絵５を表示した飲食用包装容器１を構成する。【００１５】  次に、飲食用包装容器の第２の実施形態を図２に示す斜視図で説明する。第２の実施形態による飲食用包装容器１Ａは、ガラス容器やプラスチックボトル（以下、ボトルと称する）にミネラルウオーターやジュースなど納めたキャップ６付きボトル７の外周に、前記した第１の実施形態と同様に、飲食品名４とともに人物の唇図絵５を表示した飲食用包装容器１を構成する。【００１６】  飲食用包装容器の第３の実施形態を図３に示す斜視図で説明する。第３の実施形態による飲食用包装容器１Ｂは、チョコレートやお菓子類など納めるための、厚紙や合成樹脂板による開閉蓋８付き箱９とし、その箱９の表面に、人物の唇図絵５を表示して成る飲食用包装容器１Ｂを構成する。【００１７】  第４の実施形態による飲食用包装容器１Ｃは、前記第３の実施形態と同様にお菓子類はもとより、粒や粉類などの食品を納められる袋１０とし、その袋１０の表面に唇図絵５を表示して成る飲食用包装容器１を構成する。【００１８】  飲食用包装容器の第５の実施形態を図５に示す斜視図で説明する。本実施形態による飲食用包装容器１Ｄは、即席メンや即席味噌汁など、湯を注げば数分で食べられる即席食品を納めて蓋紙１１で封止した即席食品カップ１２とし、その即席食品カップ１２の周囲に、子供タレントによる唇図絵５を表示して成る飲食用包装容器１を構成する。【００１９】  本考案による唇図絵５は若い女性を図示しているが、食品に応じては男性でもよいし子役を演じる子供でもよく、いずれも特に限定するものではない。
【図面の簡単な説明】
【００２０】
【図１】本考案による飲食用包装容器の第１の実施形態を示す斜視図である。
【図２】飲食用包装容器の第２の実施形態を示す斜視図である。
【図３】飲食用包装容器の第３の実施形態を示す斜視図である。
【図４】飲食用包装容器の第４の実施形態を示す斜視図である。
【図５】飲食用包装容器の第５の実施形態を示す斜視図である。
【符号の説明】
【００２１】１  飲食用包装容器
１Ａ  飲食用包装容器
１Ｂ  飲食用包装容器
１Ｃ  飲食用包装容器
１Ｄ  飲食用包装容器
２  プルトップ
３  缶
４  飲食品名
５  唇図絵
６  キャップ
７  ボトル
８  開閉蓋
９  箱
１０  袋
１１  蓋紙
１２  即席食品カップ
【図１】
0003134188.tif 000003
【図２】
0003134188.tif 000004
【図３】
0003134188.tif 000005
【図４】
0003134188.tif 000006
【図５】
0003134188.tif 000007